(57)【要約】      （修正有）【課題】安全な液体消火剤を備える消火具であって、力の弱い人でも簡単に消火できる消火具を提供する。【解決手段】容器１内に、20〜32%(w/v)の炭酸カリウムを主成分とする液体消火剤２で、ポリエチレン、ポリエチレンテレフタレート、及びポリ塩化ビニールからなる群より選ばれる少なくとも１種の材料を入れてなる消火具であって、この容器は一部又は全部が可撓性材料からなり、かつ１又は複数の注ぎ口１１１を有するものである消火具。【選択図】図１
2006314776.tif 000002
【特許請求の範囲】
【請求項１】
容器内に、20〜32%(w/v)の炭酸カリウムを主成分とする液体消火剤を入れてなる消火具であって、この容器は一部又は全部が可撓性材料からなり、かつ１又は複数の注ぎ口を有するものである消火具。
【請求項２】
可撓性材料がポリエチレン、ポリエチレンテレフタレート、及びポリ塩化ビニールからなる群より選ばれる少なくとも１種の材料である請求項１に記載の消火具。
【請求項３】
容器の注ぎ口の開口面積の合計が0.5〜700ｍｍ２である請求項１又は２に記載の消火具。
【請求項４】
一つの注ぎ口の開口面積が0.2ｍｍ２以上である請求項１〜３のいずれかに記載の消化具。
【請求項５】
容器の容量が100〜2000ｍｌである請求項１〜４のいずれかに記載の消火具。
【請求項６】
１Ｌ以下の油による火災を消火するための請求項１〜５のいずれかに記載の消火具。
【発明の詳細な説明】
【技術分野】
【０００１】
本発明は、主に家庭で使用される消火具であって、炭酸カリウムを主成分とする消火剤を備える消火具に関する。
【背景技術】
【０００２】
従来、汎用されている消火剤としては、粉末消火剤、ハロゲン化物消火剤、泡消火剤がある。
【０００３】
粉末消火剤は、リン酸二水素アンモニウム、重炭酸ナトリウム、重炭酸カリウムなどの消火剤を直接、対象物に噴射して消火するものである。瞬間的に消火できるため、石油やガス火災に使用されている。しかし、粉末消火剤は、使用後に現場が汚れるため、掃除に手間を要する。
【０００４】
ハロゲン化物消火剤は、石油、電気火災などの特殊火災に使用され、主成分はハロン類である。ハロゲン化物消火剤は、毒性が強いという難点がある。
【０００５】
泡消火剤は、タンパク質加水分解物や合成界面活性剤を主剤とするものに空気や窒素ガスを混合して泡を発生させるものや、硫酸アルミニウムと炭酸水素ナトリウム水溶液との混合により泡を発生させるものがある。泡消火剤は、毒性を有するものもあり、また消火後に周囲が汚れるため掃除に手間を要するという難点がある。消火力はあるが毒性の強いものとしては浸潤剤利用の物がある。
【０００６】
また、主に家庭用に、毒性のない炭酸カリウムや炭酸ナトリウムの水溶液からなる消火剤が使用されている。これらの水溶液は毒性を有さないため、家庭に備える消火剤として適している。
【０００７】
従来の炭酸アルカリ金属塩の水溶液からなる消火剤は、噴射式の容器に収められている。この消火具は、ボンベ中に、主剤の炭酸アルカリ金属塩、パーフルオロアルキル化合物などを含む水溶液と、噴射剤としての圧縮窒素ガスなどが充填されたものである。この消火具を使用する際には、把持部を手で握ってノズルから圧縮窒素、二酸化炭素、空気等により消火剤を噴出させる。
【０００８】
しかし、粉末消火具は、家庭で使用する1リットル程度の天ぷら油火災でもなかなか消火できない。また現在の消火具（粉末、液体）は構造上、消火具上部に取り付けられているピンを抜き、把持部を強く握らないと消火剤が噴射されないため、火災時の心理状態において、お年寄り、子供、手の不自由な人には使い難いものである。
【０００９】
長期保管しておくと、ガスが抜けてしまって使用時に消火剤を噴射し難い場合や、容器の底が錆びて使用時に破れたり、保管場所によっては爆発の危険もある。
【発明の開示】
【発明が解決しようとする課題】
【００１０】
本発明は、安全な液体消火剤を備える消火具であって、力の弱い人でもとっさの心理状態でも簡単に消火できる消火具を提供することを課題とする。
【課題を解決するための手段】
【００１１】
これまでの、炭酸カリウムや炭酸ナトリウムなどの水溶液からなる消火剤を備える消火具は、火炎中にかなり多量に噴射して初めて消火できるものであった。噴射式消火具であれば、遠くまで消火剤を飛ばすことができるため、大きな炎が上がっている状態でも、恐れずに消火操作を続けることができる。しかし、前出したように、噴射式容器は上部のピンを強い力で引き抜き、しっかりとノズルを握る必要があり、使用者によっては使用し難いものである。
【００１２】
本発明者らは、このような炭酸アルカリ金属塩水溶液からなる消火剤の使用方法について研究を重ね、炭酸カリウム水溶液を霧状又はシャワー状に噴射するのではなく、連続的に注入すれば、ごく少ない投入量で火炎がほぼ治まることを見出した。また、炭酸カリウム濃度を20〜32%(w/v)程度とすることにより、例えば天ぷら火災のような1リットル以下の油による室内火災では、最初の数十ｍｌ〜100ｍｌ強を燃焼物に注入すればほぼ火災を鎮火でき、容易に火元に近づけるようになることを見出した。
【００１３】
さらに、少なくとも一部が可撓性材料で構成されているとともに、１又は複数の注ぎ口を有する容器に、炭酸カリウム水溶液を主成分とする液体消火剤を収めておくことにより、子供、お年寄り、手の不自由な人でも、弱い力で可撓性部分を握るだけで最初の数十ｍｌ〜100ｍｌ強を出してほぼ火炎を消せることを見出した。
【００１４】
本発明は、上記知見に基づき完成されたものであり、以下の消火具を提供する。
【００１５】
項１．  容器内に、20〜32%(w/v)の炭酸カリウムを主成分とする液体消火剤を入れてなる消火具であって、この容器は一部又は全部が可撓性材料からなり、かつ１又は複数の注ぎ口を有するものである消火具。
【００１６】
項２．  可撓性材料がポリエチレン、ポリエチレンテレフタレート、及びポリ塩化ビニールからなる群より選ばれる少なくとも１種の材料である項１に記載の消火具。
【００１７】
項３．  容器の注ぎ口の開口面積の合計が0.5〜700ｍｍ２である項１又は２に記載の消火具。
【００１８】
項４．  一つの注ぎ口の開口面積が0.2ｍｍ２以上である項１~３のいずれかに記載の消化具。
【００１９】
項５．  容器の容量が100〜2000ｍｌである項１〜４のいずれかに記載の消火具。
【００２０】
項６．  １Ｌ以下の油による火災を消火するための項１〜５のいずれかに記載の消火具。
【発明の効果】
【００２１】
本発明の消火具は、容器が可撓性部分を有し、消火液を噴射するのではなく連続的に注ぐことができる注ぎ口を有するため、その部分を弱い力で握ったり、押したりするだけで、短時間で、孔から数十ｍｌ〜100ｍｌ強の消火剤を押し出すことができる。この程度の量の20〜32%(w/v)濃度の炭酸カリウム水溶液を、火元に注入することができれば、ほぼ炎は消えるため、後は、火元により近づいて残りの消火剤を投入して完全に消火することができる。例えば、通常家庭で使用されている1Ｌ以下の天ぷら油の火災であれば、数十ｍｌで火炎をほぼ抑えることができ、全部で100ｍl強程度の消火剤を注入すれば消火することができる。このようにして、子供、お年寄り、手の不自由な人であっても、簡単に消火することができる。
【００２２】
また、本発明の消火具は、このように消火剤を燃焼物に注ぐものであるため、燃焼物以外にかかることがなく、また天ぷら油のような燃焼物が飛び散らず、後始末が簡単である。
【００２３】
また、この消火具の消火剤は、炭酸カリウム水溶液からなり全く毒性を有さないため、台所などに常備するのに適している。さらに、家庭から水で薄めながら下水に廃棄しても環境を汚染しない。
【発明を実施するための最良の形態】
【００２４】
以下、本発明を詳細に説明する。
【００２５】
本発明の消火具は、20〜32%(w/v)の炭酸カリウムを主成分とする液体消火剤を入れてなる消火具である。この容器はその壁の一部又は全部が可撓性を有する材料からなる。
【００２６】
容器壁の一部又は全部が可撓性材料からなることにより、お年寄りなどの弱い力でこの部分を握ったり押したりするだけで、炎をほぼ消せるだけの量の消火剤を簡単に注ぐことができる。
【００２７】
可撓性を有する容器壁材料としては、例えばポリエチレン、ポリエチレンテレフタレート、ポリ塩化ビニールなどの樹脂が挙げられる。中でも、強アルカリ溶液であるｐH11〜12程度の炭酸カリウム水溶液を安全に長期間保存するためには、ポリエチレンが好ましい。容器壁材料は、１種の樹脂を含むものであってもよく、２種以上の樹脂を混合したものであってもよい。なお、本発明の効果を損なわない範囲で、容器構成材料に通常添加される慣用の添加剤が含まれていてもよい。また、これらの樹脂で弾性部分を構成するとともに、容器壁の当該部分の厚みを0.5〜5ｍｍ程度とすれば、消火剤を注ぎ出し易い容器となる。
【００２８】
本発明の消火具は、容器壁の全てがこのような可撓性材料からなるものであってもよく、また、例えば容器の中央部のように握り易い部分のみこのような可撓性材料で構成することもできる。容器の一部が可撓性材料からなる場合は、容器壁の面積の50％以上が可撓性材料からなることが好ましく、70％以上が可撓性材料からなることがより好ましい。可撓性材料は、弾性も有する材料であることが好ましい。また、注ぎ口を含む先端部は、消火剤を内包する本体部とは異なる硬質材料で構成されていてもよい。
【００２９】
容器の形状は特に限定されない。通常は、立てて保管できるような低面部を有し、側面は円筒状、多角柱状、中央部が膨らんだ筒状、例えば中央部が窪んだ筒状などの形状にすることができる。
【００３０】
容器の内容量は、特に限定されないが、好ましくは100〜2000ml程度であり、より好ましくは150〜350ｍｌ程度であり、さらにより好ましくは200〜320ｍｌ程度である。この範囲であれば、家庭内の火災を消火できる程度の量の消火剤を入れることができるとともに、消火剤を出し易いものとなる。
【００３１】
また、本発明の消火具は注ぎ口を有するが、この注ぎ口は、単一孔からなるものでもよく、複数孔からなりシャワー状に消火剤を注ぐことができるものであってもよい。注ぎ口の開口面積の合計は0.5〜700mｍ２程度好ましく、0.7〜350ｍｍ２がより好ましく、3〜12ｍｍ２がさらにより好ましい。また、注ぎ口一つ当たりの開口面積は0.2ｍｍ２程度以上（例えば直径0.5mm程度以上の円形の開口）であることが好ましく、0.3ｍｍ２程度以上（例えば直径0.6mm程度以上の円形の開口）であることがより好ましい。これにより、消化液を霧状に噴射するのではなく、連続的もしくは間歇的に注いだり、滴下することができる。この程度の開口面積を有すれば、人が容器を握ったり押したりする場合に、人が火傷をしたり怖く感じたりしない程度の時間内に、ほぼ炎を消せるだけの消火剤を出すことができる。また、一度に消火剤が多量に出て油などが飛び散ることもない。
【００３２】
液体消火剤中の炭酸カリウム濃度は、20〜32%(w/v)程度であり、好ましくは30〜32%(w/v)程度であればよい。上記の炭酸カリウム濃度の範囲であれば、例えば1Ｌ以下の天ぷら油火災などに対して、十分な消火力が得られる。また、炭酸カリウムは人体に無害で、かつ環境への重大な負担もないことから高濃度であっても支障はないが、家庭用にはなるべく低濃度で刺激のないものであることが望ましいことから上限は32%(w/v)程度とすればよい。また、液体消火剤中には、本発明の効果を損なわない範囲で、慣用の添加剤が含まれていてもよい。
【００３３】
実施例
以下、本発明を実施例を示してより詳細に説明するが、本発明はこれらに限定されるものではない。
【００３４】
本発明の１実施例である消火具の斜視図を図１に示す。この消火具は、内容量３２０ｍｌの容器１に、濃度３０重量％の炭酸カリウム水溶液からなる消火剤２を３００ｍｌ収納したものである。
【００３５】
容器１は、消火剤を収納している本体部１０と、注ぎ口部１１とからなる。本体部１０は、楕円形の底面部１０１とその底面部の周縁から一体的に設けられた楕円筒状の側面部１０２と、側面部１０２の端部と一体的に形成され、小径の注ぎ口部１１に向かって収束している傾斜部１０３とからなる。
【００３６】
底面部１０１、側面部１０２、及び傾斜部１０３は、全て軟質ポリエチレンで構成されているが、側面部１０２は、底面部１０１及び傾斜部１０３より厚みが小さく、約0.8ｍｍである。
【００３７】
注ぎ口部１１は、ポリプロピレンで構成されており、直径3ｍｍ（開口面積９ｍｍ２）の注ぎ口１１１が一つ設けられている。
【００３８】
この消火具を使用するにあたっては、図２に示すように、手で容器1の本体部１０の側面部１０２を軽く握ることにより、注ぎ口１１１から２〜３ｍｌの消火剤２を燃焼物３（ここでは鍋中の天ぷら油）に注入すればよい。これで、炎はほぼ鎮まるため、さらに１００ｍｌ程度を油に注入すればよい。これにより、完全に消火できる。
【００３９】
＜天ぷら油火災の消火実験(1)＞
上記消化具において、直径３ｍｍ(開口面積9ｍｍ２）注ぎ口１１１を一つ有する注ぎ口部１１に代えて、直径0.6ｍｍの注ぎ口を８個有する注ぎ口部を備える消火具を用いて、以下の消火実験を行った。
【００４０】
鍋中の１．５Ｌの天ぷら油に火を付けて油を燃焼させたものに対して、７０歳台女性、２０歳台女性、５０歳台男性、１０歳台男性がそれぞれ消火具を使用して消火操作を行った。消火剤の注入のし易さ、及び消火までの時間を評価した。結果を以下の表１に示す。
【００４１】
【表１】
2006314776.tif 000003
【００４２】
簡単に消火剤を注入して、その結果短時間で消火できたことが分かる。
＜天ぷら油火災の消火実験(2)（炭酸カリウム濃度の検討）＞
上記消火具において、炭酸カリウム濃度を５〜35%(w/v)に変化させたものを用意した。
【００４３】
直径３００mm、深さ５０ｍｍの鋼鉄製の鍋に大豆油１リットルを入れ、３６０〜４００℃の温度で発火させた。
【００４４】
５０歳台の健康な男性が、各消火具を片手又は両手で握ることにより天ぷら油火災の消火を試みた。消火の様子を以下の表２に示す。
【００４５】
【表２】
2006314776.tif 000004
【００４６】
表２より、炭酸カリウム濃度20%(w/v)以上で初めて、瞬時に消火でき且つ再発火がないことが分かる。
【図面の簡単な説明】
【００４７】
【図１】本発明の消火具の斜視図である。
【図２】本発明の消火具の使用状態を示す図である。
【符号の説明】
【００４８】
１  容器
１０  本体部
１０１  底面部
１０２  側面部
１０３  傾斜部
１１  注ぎ口部
１１１  注ぎ口
２  消火剤
３  燃焼物（鍋中の天ぷら油）
【図１】
2006314776.tif 000005
【図２】
2006314776.tif 000006